(57)【要約】      （修正有）【課題】着色力、色相等の色彩的特性に優れ、かつ耐光性、耐オゾン性等の耐久性にも優れるアゾ顔料を、再現性よく高効率に製造することのできる製造方法を提供する。【解決手段】ヘテロ環アミンをジアゾニウム化したジアゾニウム化合物と、目的とするアゾ顔料の中間体化合物とのカップリング反応する際に、目的とするアゾ顔料を種結晶として使用する。【選択図】図１
2009073992.tif 000002
【特許請求の範囲】
【請求項１】
下記一般式（１）で表されるヘテロ環アミンをジアゾニウム化したジアゾニウム化合物と、下記一般式（３）で表される化合物とのカップリング反応によって下記一般式（４）で表されるアゾ化合物を製造する方法において、種結晶としての下記一般式（４）で表されるアゾ化合物の存在下カップリング反応を行うことを特徴とする下記一般式（４）で表されるアゾ化合物の製造方法。
一般式（１）：
Ｈｅｔ−ＮＨ２
（一般式（１）中、Ｈｅｔは下記一般式（２）で表される芳香族ヘテロ環基群から選ばれる基を表す。＊は一般式（１）中のアミノ基との結合部位を表す。）
一般式（２）：
【化１】
2009073992.tif 000026
（一般式（２）中、Ｘ，Ｙ，Ｚ，Ｗ０、Ｗ１、Ｗ２、Ｗ３、Ｗ４はそれぞれ独立に水素原子または置換基を表す。）
一般式（３）：
【化２】
2009073992.tif 000027
（一般式（３）中、Ｒ１、Ｒ２はそれぞれ独立に水素原子または置換基を表す。Ｇは５〜６員ヘテロ環を構成することができる原子団を表す。ＷはＧが構成するヘテロ環に結合可能な置換基を表す。ｓは１〜４の整数を表し、ｔは０〜３の整数を表し、ｓ＋ｔは４以下の整数である。）
一般式（４）：
【化３】
2009073992.tif 000028
（一般式（４）中、Ｒ１、Ｒ２はそれぞれ独立に水素原子または置換基を表す。Ｇは５〜６員ヘテロ環を構成することができる原子団を表す。ＷはＧが構成するヘテロ環に結合可能な置換基を表す。ｓは１〜４の整数を表し、ｔは０〜３の整数を表し、ｓ＋ｔは４以下の整数である。Ｈｅｔ−１、Ｈｅｔ−２はそれぞれ独立に、前記一般式（２）で表される芳香族ヘテロ環基群から選ばれる基を表す。＊は、一般式（４）中のアゾ基との結合部位を表す。）
【請求項２】
前記一般式（３）で表される化合物が溶解した溶液に前記一般式（４）で表されるアゾ化合物を種結晶として加える請求項１記載の製造方法。
【請求項３】
前記一般式（３）で表される化合物が溶解した溶液が炭素数１〜４のアルコール溶液、炭素数１〜４のケトン溶液、またはアセトニトリル溶液である請求項１または２記載の製造方法。
【請求項４】
前記一般式（１）で表されるヘテロ環アミンが、下記一般式（５）で表される化合物である請求項１〜３のいずれかに記載の製造方法。
一般式（５）：
【化４】
2009073992.tif 000029
（一般式（５）中、Ｙは水素原子または置換基を表す。）
【請求項５】
前記一般式（４）で表される化合物が下記一般式（６）で表される化合物である請求項１〜４のいずれかに記載の製造方法。
一般式（６）：
【化５】
2009073992.tif 000030
（一般式（６）中、Ｒ１、Ｒ２はそれぞれ独立に水素原子または置換基を表す。Ｈｅｔ−１、Ｈｅｔ−２はそれぞれ独立に、前記一般式（２）で表される芳香族ヘテロ環基群から選ばれる基を表す。＊は、一般式（６）中のアゾ基との結合部位を表す。）
【請求項６】
請求項１〜５のいずれかに記載の製造方法によって製造されたことを特徴とする一般式（４）で表されるアゾ顔料、その塩または水和物。
【請求項７】
請求項６記載のアゾ顔料、その塩または水和物を少なくとも１種含む着色剤組成物。
【発明の詳細な説明】
【技術分野】
【０００１】
本発明は、アゾ化合物の製造方法およびアゾ顔料に関する。
【背景技術】
【０００２】
近年、画像記録材料としては、特にカラー画像を形成するための材料が主流であり、具体的には、インクジェット方式の記録材料、感熱転写方式の記録材料、電子写真方式の記録材料、転写式ハロゲン化銀感光材料、印刷インキ、記録ペン等が盛んに利用されている。また、撮影機器ではＣＣＤなどの撮像素子において、ディスプレーではＬＣＤやＰＤＰにおいてカラー画像を記録・再現するためにカラーフィルターが使用されている。これらのカラー画像記録材料やカラーフィルターでは、フルカラー画像を表示あるいは記録する為に、いわゆる加法混色法や減法混色法の３原色の色素（染料や顔料）が使用されているが、好ましい色再現域を実現できる吸収特性を有し、且つさまざまな使用条件、環境条件に耐えうる堅牢な色素がないのが実情であり、改善が強く望まれている。
【０００３】
前記の各用途で使用する染料や顔料には、共通して次のような性質を具備している必要がある。即ち、色再現性上好ましい吸収特性を有すること、使用される環境条件下における堅牢性、例えば耐光性、耐熱性、オゾンなどの酸化性ガスに対する耐性が良好であること、等が挙げられる。加えて、色素が顔料の場合にはさらに、水や有機溶剤に実質的に不溶であり耐薬品堅牢性が良好であること、および、粒子として使用しても分子分散状態における好ましい吸収特性を損なわないこと、等の性質をも具備している必要がある。前記要求特性は分子間相互作用の強弱でコントロールすることができるが、両者はトレードオフの関係となるため両立させるのが困難である。
また、顔料を使用するにあたっては、他にも、所望の透明性を発現させるために必要な粒子径および粒子形を有すること、使用される環境条件下における堅牢性、例えば耐光性、耐熱性、オゾンなどの酸化性ガスに対する耐性、その他有機溶剤や亜硫酸ガスなどへの耐薬品堅牢性が良好であること、使用される媒体中において微小粒子まで分散し、かつ、その分散状態が安定であること、等の性質も必要となる。特に、良好なイエロー色相を有し、光、湿熱及び環境中の活性ガス、中でも着色力が高く、光に対して堅牢な顔料が強く望まれている。
【０００４】
すなわち、顔料に対する要求性能は色素分子としての性能を要求される染料に比べて、多岐にわたり、色素分子としての性能だけでなく、色素分子の集合体としての固体（微粒子分散物）としての前記要求性能を全て満足する必要がある。特に、結晶多型の制御は顔料の性能や品質を一定に保つために必要不可欠であり、例えばフタロシアニン顔料やキナクリドン顔料においては、結晶多型を制御するための製造方法に関する特許出願が数多くなされている（例えば特許文献１〜３参照）。
【０００５】
アゾ顔料は色彩的特性である色相および着色力に優れているため、印刷インキ、インクジェット用インク、電子写真材料などに広く使用されている。これらのうち、最も典型的に使用されている黄色のアゾ顔料は、ジアリーリド顔料である。ジアリーリド顔料としては例えば、Ｃ．Ｉ．ピグメント・イエロー１２、同１３、同１７などが挙げられる。しかし、ジアリーリド顔料は堅牢性、とりわけ耐光性が非常に劣るため、印字物が光に曝されることによって顔料が分解して退色してしまい、印字物の長期間の保存に適さない。
【０００６】
このような欠点を改良するために、分子量を大きくしたり、強い分子間相互作用を持つ基を導入したりすることによって、堅牢性を改善したアゾ顔料も開示されている（例えば特許文献４〜６参照）。しかしながら、改良された顔料においても、例えば特許文献１に記載の顔料はその耐光性が改善されてはいるが未だ不十分であり、また、例えば特許文献２および３に記載の顔料は色相が緑味で着色力が低くなり、色彩的特性に劣るといった欠点があった。
【０００７】
また、特許文献７には色再現性に優れた吸収特性と十分な堅牢性を有する色素が開示されている。しかしながら、該特許文献に記載されている具体的化合物は、どれも水または有機溶剤に溶解するため、耐薬品堅牢性が十分でない。
【０００８】
そのため、着色力、色相等の色彩的特性に優れ、かつ耐光性、耐オゾン性等の耐久性にも優れるアゾ顔料が求められている。しかしながら、該アゾ顔料はその製造方法によって異なる構造異性および結晶多型を示すため、所望の特性を発揮する構造異性および結晶多型を有する該アゾ顔料を再現性よく高純度に製造することは困難であった。
【特許文献１】特開２００３−１６０７３８号公報
【特許文献２】特開２００７−９００７号公報
【特許文献３】特開平１１−５３７６７号公報
【特許文献４】特開昭５６−３８３５４号公報
【特許文献５】米国特許２９３６３０６号
【特許文献６】特開平１１−１００５１９号公報
【特許文献７】特開２００３−２７７６６２号公報
【発明の開示】
【発明が解決しようとする課題】
【０００９】
本発明は、着色力、色相等の色彩的特性に優れ、かつ耐光性、耐オゾン性等の耐久性にも優れるアゾ顔料を、特定の構造異性および結晶多型に制御しながら再現性よく高効率に製造することのできる製造方法を提供することを目的とする。
【課題を解決するための手段】
【００１０】
本発明者等は前記した実情に鑑みて鋭意検討した結果、種結晶の存在下カップリングを行うことで、アゾ化合物の構造異性および結晶多型を制御しながら再現性よく高効率に製造することができることを見出し、本発明を完成した。
【００１１】
即ち、本発明は、以下のとおりである。
〔１〕
下記一般式（１）で表されるヘテロ環アミンをジアゾニウム化したジアゾニウム化合物と、下記一般式（３）で表される化合物とのカップリング反応によって下記一般式（４）で表されるアゾ化合物を製造する方法において、種結晶としての下記一般式（４）で表されるアゾ化合物の存在下カップリング反応を行うことを特徴とする下記一般式（４）で表されるアゾ化合物の製造方法。
一般式（１）：
Ｈｅｔ−ＮＨ２
（一般式（１）中、Ｈｅｔは下記一般式（２）で表される芳香族ヘテロ環基群から選ばれる基を表す。＊は一般式（１）中のアミノ基との結合部位を表す。）
一般式（２）：
【００１２】
【化１】
2009073992.tif 000003
【００１３】
（一般式（２）中、Ｘ，Ｙ，Ｚ，Ｗ０、Ｗ１、Ｗ２、Ｗ３、Ｗ４はそれぞれ独立に水素原子または置換基を表す。）
一般式（３）：
【００１４】
【化２】
2009073992.tif 000004
【００１５】
（一般式（３）中、Ｒ１、Ｒ２はそれぞれ独立に水素原子または置換基を表す。Ｇは５〜６員ヘテロ環を構成することができる原子団を表す。ＷはＧが構成するヘテロ環に結合可能な置換基を表す。ｓは１〜４の整数を表し、ｔは０〜３の整数を表し、ｓ＋ｔは４以下の整数である。）
一般式（４）：
【００１６】
【化３】
2009073992.tif 000005
【００１７】
（一般式（４）中、Ｒ１、Ｒ２はそれぞれ独立に水素原子または置換基を表す。Ｇは５〜６員ヘテロ環を構成することができる原子団を表す。ＷはＧが構成するヘテロ環に結合可能な置換基を表す。ｓは１〜４の整数を表し、ｔは０〜３の整数を表し、ｓ＋ｔは４以下の整数である。Ｈｅｔ−１、Ｈｅｔ−２はそれぞれ独立に、前記一般式（２）で表される芳香族ヘテロ環基群から選ばれる基を表す。＊は、一般式（４）中のアゾ基との結合部位を表す。）
〔２〕
前記一般式（３）で表される化合物が溶解した溶液に前記一般式（４）で表されるアゾ化合物を種結晶として加える〔１〕記載の製造方法。
〔３〕
前記一般式（３）で表される化合物が溶解した溶液が炭素数１〜４のアルコール溶液、炭素数１〜４のケトン溶液、またはアセトニトリル溶液である〔１〕または〔２〕記載の製造方法。
〔４〕
前記一般式（１）で表されるヘテロ環アミンが、下記一般式（５）で表される化合物である〔１〕〜〔３〕のいずれかに記載の製造方法。
一般式（５）：
【００１８】
【化４】
2009073992.tif 000006
【００１９】
（一般式（５）中、Ｙは水素原子または置換基を表す。）
〔５〕
前記一般式（４）で表される化合物が下記一般式（６）で表される化合物である〔１〕〜〔４〕のいずれかに記載の製造方法。
一般式（６）：
【００２０】
【化５】
2009073992.tif 000007
【００２１】
（一般式（６）中、Ｒ１、Ｒ２はそれぞれ独立に水素原子または置換基を表す。Ｈｅｔ−１、Ｈｅｔ−２はそれぞれ独立に、前記一般式（２）で表される芳香族ヘテロ環基群から選ばれる基を表す。＊は、一般式（６）中のアゾ基との結合部位を表す。）
〔６〕
〔１〕〜〔５〕のいずれかに記載の製造方法によって製造されたことを特徴とする一般式（４）で表されるアゾ顔料、その塩または水和物。
〔７〕
〔６〕記載のアゾ顔料、その塩または水和物を少なくとも１種含む着色剤組成物。
【発明の効果】
【００２２】
本発明によれば、着色力、色相等の色彩的特性に優れ、かつ耐光性、耐オゾン性等の耐久性にも優れるアゾ顔料を特定の構造異性および結晶多型に制御しながら再現性よく高効率に製造することのできる製造方法が提供される。本発明によって製造された顔料を種々の媒体に分散させることにより、例えば、色彩的特性、耐久性および分散安定性に優れるインクジェットなどの印刷用のインク、電子写真用のカラートナー、ＬＣＤ、ＰＤＰなどのディスプレーやＣＣＤなどの撮像素子で用いられるカラーフィルター、塗料、着色プラスチック等に使用することができる。
【発明を実施するための最良の形態】
【００２３】
以下、本発明について詳細に説明する。
ここで、本明細書中で用いられるハメットの置換基定数σｐ値について若干説明する。
ハメット則はベンゼン誘導体の反応または平衡に及ぼす置換基の影響を定量的に論ずるために１９３５年  Ｌ．Ｐ．Ｈａｍｍｅｔｔにより提唱された経験則であるが、これは今日広く妥当性が認められている。ハメット則に求められた置換基定数にはσｐ値とσｍ値があり、これらの値は多くの一般的な成書に見出すことができるが、例えば、Ｊ．Ａ．Ｄｅａｎ編、「Ｌａｎｇｅ’ｓ  Ｈａｎｄｂｏｏｋ  ｏｆ  Ｃｈｅｍｉｓｔｒｙ」第１２版、１９７９年（Ｍｃ  Ｇｒａｗ−Ｈｉｌｌ）や「化学の領域」増刊、１２２号、９６〜１０３頁、１９７９年（南光堂）に詳しい。なお、本発明において各置換基をハメットの置換基定数σｐにより限定したり、説明したりするが、これは前記の成書で見出せる、文献既知の値がある置換基にのみ限定されるという意味ではなく、その値が文献未知であってもハメット則に基づいて測定した場合にその範囲内に包まれるであろう置換基をも含むことはいうまでもない。本発明の一般式（１）〜（６）で表される化合物はベンゼン誘導体ではないが、置換基の電子効果を示す尺度として、置換位置に関係なくσｐ値を使用する。本発明においては今後、σｐ値をこのような意味で使用する。
【００２４】
〔アゾ化合物〕
本発明において製造されるアゾ化合物は前記一般式（４）で表される。
【００２５】
以下、一般式（４）で表されるアゾ顔料について詳細に説明する。なお当該アゾ顔料は、その塩または水和物であってもよい。
一般式（４）
【００２６】
【化６】
2009073992.tif 000008
【００２７】
（一般式（１）中、Ｒ１、Ｒ２はそれぞれ独立に水素原子または置換基を表す。Ｇは５〜６員ヘテロ環を構成する事ができる原子団を表す。Ｗは、Ｇが構成するヘテロ環に結合可能な置換基を表す。ｓは１〜４の整数を表し、ｔは０〜３の整数を表し、ｓ＋ｔは４以下の整数である。Ｈｅｔ-１、Ｈｅｔ-２はそれぞれ独立に、下記一般式（２）で表される芳香族へテロ環基群から選ばれる基を表す。＊は、一般式（４）中のアゾ基との結合部位を表す。）
一般式（２）
【００２８】
【化７】
2009073992.tif 000009
【００２９】
（一般式（２）中、Ｘ、Ｙ、Ｚ、Ｗ０、Ｗ１、Ｗ２、Ｗ３、Ｗ４はそれぞれ独立に水素原子または置換基を表す。）
【００３０】
以下に、前記一般式（４）について更に詳しく説明する。
一般式（４）中、Ｈｅｔ-１、Ｈｅｔ-２で表されるヘテロ環基は、前記一般式（２）で表される芳香族へテロ環基群から選ばれる基を表し、それらは更にヘテロ環上の置換基が互いに結合して縮環していてもよい。＊は、一般式（４）中のアゾ基との結合部位を表す。
【００３１】
ヘテロ環基の例としては、（１）、（２）、（３）、（４）、（５）、（６）、（７）、（８）、（９）、（１０）、（１１）が好ましく、更に（２）、（５）、（６）、（７）、（８）、（９）、（１０）が好ましく、特に（２）、（５）、（６）、（７）、（１０）が好ましく、その中でも（７）が最も好ましい。
【００３２】
一般式（２）における、Ｘ、Ｙ、Ｚ、Ｗ０、Ｗ１、Ｗ２、Ｗ３、Ｗ４はそれぞれ独立に水素原子または置換基を表す。
【００３３】
Ｘ、Ｙ、Ｚ、Ｗ０、Ｗ１、Ｗ２、Ｗ３、Ｗ４で表される置換基としては、炭素数１〜１２の直鎖又は分岐鎖アルキル基、炭素数７〜１８の直鎖又は分岐鎖アラルキル基、炭素数２〜１２の直鎖又は分岐鎖アルケニル基、炭素数２〜１２の直鎖又は分岐鎖アルキニル基、炭素数３〜１２の直鎖又は分岐鎖シクロアルキル基、炭素数３〜１２の直鎖又は分岐鎖シクロアルケニル基、例えばメチル、エチル、n-プロピル、i-プロピル、n-ブチル、i-ブチル、sec-ブチル、ｔ−ブチル、２−エチルヘキシル、２−メチルスルホニルエチル、３−フェノキシプロピル、トリフルオロメチル、シクロペンチル）、ハロゲン原子（例えば、塩素原子、臭素原子）、アリール基（例えば、フェニル、４−ｔ−ブチルフェニル、２，４−ジ−ｔ−アミルフェニル）、ヘテロ環基（例えば、イミダゾリル、ピラゾリル、トリアゾリル、２−フリル、２−チエニル、２−ピリミジニル、２−ベンゾチアゾリル）、シアノ基、ヒドロキシル基、ニトロ基、カルボキシ基、アミノ基、アルキルオキシ基（例えば、メトキシ、エトキシ、２−メトキシエトキシ、２−メチルスルホニルエトキシ）、アリールオキシ基（例えば、フェノキシ、２−メチルフェノキシ、４−ｔ−ブチルフェノキシ、３−ニトロフェノキシ、３−ｔ−ブチルオキシカルボニルフェノキシ、３−メトキシカルボニルフェニルオキシ、アシルアミノ基（例えば、アセトアミド、ベンズアミド、４−（３−ｔ−ブチル−４−ヒドロキシフェノキシ）ブタンアミド）、アルキルアミノ基（例えば、メチルアミノ、ブチルアミノ、ジエチルアミノ、メチルブチルアミノ）、アリールアミノ基（例えば、フェニルアミノ、２−クロロアニリノ）、ウレイド基（例えば、フェニルウレイド、メチルウレイド、Ｎ，Ｎ−ジブチルウレイド）、スルファモイルアミノ基（例えば、Ｎ，Ｎ−ジプロピルスルファモイルアミノ）、アルキルチオ基（例えば、メチルチオ、オクチルチオ、２−フェノキシエチルチオ）、アリールチオ基（例えば、フェニルチオ、２−ブトキシ−５−ｔ−オクチルフェニルチオ、２−カルボキシフェニルチオ）、アルキルオキシカルボニルアミノ基（例えば、メトキシカルボニルアミノ）、アルキルスルホニルアミノ基及びアリールスルホニルアミノ基（例えば、メチルスルホニルアミノ、フェニルスルホニルアミノ、ｐ−トルエンスルホニルアミノ）、カルバモイル基（例えば、Ｎ−エチルカルバモイル、Ｎ，Ｎ−ジブチルカルバモイル）、スルファモイル基（例えば、Ｎ−エチルスルファモイル、Ｎ，Ｎ−ジプロピルスルファモイル、Ｎ−フェニルスルファモイル）、スルホニル基（例えば、メチルスルホニル、オクチルスルホニル、フェニルスルホニル、ｐ−トルエンスルホニル）、アルキルオキシカルボニル基（例えば、メトキシカルボニル、ブチルオキシカルボニル）、ヘテロ環オキシ基（例えば、１−フェニルテトラゾール−５−オキシ、２−テトラヒドロピラニルオキシ）、アゾ基（例えば、フェニルアゾ、４−メトキシフェニルアゾ、４−ピバロイルアミノフェニルアゾ、２−ヒドロキシ−４−プロパノイルフェニルアゾ）、アシルオキシ基（例えば、アセトキシ）、カルバモイルオキシ基（例えば、Ｎ−メチルカルバモイルオキシ、Ｎ−フェニルカルバモイルオキシ）、シリルオキシ基（例えば、トリメチルシリルオキシ、ジブチルメチルシリルオキシ）、アリールオキシカルボニルアミノ基（例えば、フェノキシカルボニルアミノ）、イミド基（例えば、Ｎ−スクシンイミド、Ｎ−フタルイミド）、ヘテロ環チオ基（例えば、２−ベンゾチアゾリルチオ、２，４−ジ−フェノキシ−１，３，５−トリアゾール−６−チオ、２−ピリジルチオ）、スルフィニル基（例えば、３−フェノキシプロピルスルフィニル）、ホスホニル基（例えば、フェノキシホスホニル、オクチルオキシホスホニル、フェニルホスホニル）、アリールオキシカルボニル基（例えば、フェノキシカルボニル）、アシル基（例えば、アセチル、３−フェニルプロパノイル、ベンゾイル）、イオン性親水性基（例えば、カルボキシル基、スルホ基、ホスホノ基及び４級アンモニウム基）が挙げられる。
【００３４】
一般式（２）中、Ｘ及びＷ０の好ましい置換基例は、それぞれ独立に電子吸引性基である。特に、ハメットの置換基定数σｐ値が０．２０以上の電子吸引性基であり、より好ましくは、σｐ値が０．３０以上の電子吸引性基であることが好ましい。上限としては１．０以下の電子吸引性基である。
【００３５】
σｐ値が０．２０以上の電子吸引性基であるＸの具体例としては、アシル基、アシルオキシ基、カルバモイル基、アルキルオキシカルボニル基、アリールオキシカルボニル基、シアノ基、ニトロ基、ジアルキルホスホノ基、ジアリールホスホノ基、ジアリールホスフィニル基、アルキルスルフィニル基、アリールスルフィニル基、アルキルスルホニル基、アリールスルホニル基、スルホニルオキシ基、アシルチオ基、スルファモイル基、チオシアネート基、チオカルボニル基、ハロゲン化アルキル基、ハロゲン化アルコキシ基、ハロゲン化アリールオキシ基、ハロゲン化アルキルアミノ基、ハロゲン化アルキルチオ基、σｐ値が０．２０以上の他の電子吸引性基で置換されたアリール基、ヘテロ環基、ハロゲン原子、アゾ基、又はセレノシアネート基が挙げられる。
【００３６】
Ｘ及びＷ０の好ましい例としては、それぞれ独立に炭素数２〜１２のアシル基、炭素数２〜１２のアシルオキシ基、炭素数１〜１２のカルバモイル基、炭素数２〜１２のアルキルオキシカルボニル基、炭素数７〜１８のアリールオキシカルボニル基、シアノ基、ニトロ基、炭素数１〜１２のアルキルスルフイニル基、炭素数６〜１８のアリールスルフイニル基、炭素数１〜１２のアルキルスルホニル基、炭素数６〜１８のアリールスルホニル基、炭素数０〜１２のスルファモイル基、炭素数１〜１２のハロゲン化アルキル基、炭素数１〜１２のハロゲン化アルキルオキシ基、炭素数１〜１２のハロゲン化アルキルチオ基、炭素数７〜１８のハロゲン化アリールオキシ基、２つ以上のσｐ０．２０以上の他の電子吸引性基で置換された炭素数７〜１８のアリール基、及び窒素原子、酸素原子、またはイオウ原子を有する５〜８員環で炭素数１〜１８のヘテロ環基を挙げることができる。
【００３７】
更に好ましくは、シアノ基、炭素数１〜１２のアルキルスルホニル基、炭素数６〜１８のアリールスルホニル基、または炭素数０〜１２のスルファモイル基である。特に好ましいものは、シアノ基、炭素数１〜８のアルキルスルホニル基、炭素数６〜１２のアリールスルホニル基、または炭素数０〜８のスルファモイル基であり、その中でもシアノ基、メタンスルホニル基、フェニルスルホニル基、スルファモイル基が好ましく、更にシアノ基、メタンスルホニル基が好ましく、シアノ基が最も好ましい。
【００３８】
一般式（２）中、Ｚの好ましい例は、水素原子、置換もしくは無置換のアルキル基、置換もしくは無置換のシクロアルキル基、置換もしくは無置換のアルケニル基、置換もしくは無置換のアルキニル基、置換もしくは無置換のアラルキル基、置換もしくは無置換のアリール基、置換もしくは無置換のヘテロ環基、置換もしくは無置換のアルキルスルホニル基、置換もしくは無置換のアリールスルホニル基またはアシル基を示す。特に好ましい置換基は置換もしくは無置換のアリール基、置換基もしくは無置換のへテロ環基、置換もしくは無置換のアルキルスルホニル基、置換もしくは無置換のアリールスルホニル基またはアシル基であり、その中でも特に置換基は置換もしくは無置換のアリール基、置換基もしくは無置換のへテロ環基が好ましい。置換基の例としては、前記一般式（２）におけるＸ、Ｙ、Ｚ、Ｗ０、Ｗ１、Ｗ２、Ｗ３、Ｗ４で挙げた置換基と同じものを挙げることができる。
【００３９】
一般式（２）中、Ｙ及びＷ1〜Ｗ４の好ましい例は、それぞれ独立に水素原子、置換もしくは無置換の総炭素数Ｃ１〜Ｃ１２のアルキル基、置換もしくは無置換の総炭素数Ｃ６〜Ｃ１８のアリール基、または置換もしくは無置換の総炭素数Ｃ４〜Ｃ１２ヘテロ環基が好ましく、その中でも、水素原子、総炭素原子数Ｃ１〜Ｃ８の直鎖アルキル基及びまたは分岐のアルキル基が好ましく、特に水素原子、またはＣ１〜Ｃ８のアルキル基が好ましく、水素原子が最も好ましい。
【００４０】
一般式（４）中、Ｒ１、Ｒ２及びＷの好ましい例を詳細に説明する。
【００４１】
Ｒ１、Ｒ２及びＷは、それぞれ独立に水素原子または置換基を表す。
Ｒ１、Ｒ２及びＷが一価の置換基を示す場合、一価の置換基の例としては、それぞれ独立に、ハロゲン原子、アルキル基、シクロアルキル基、アラルキル基、アルケニル基、アルキニル基、アリール基、ヘテロ環基、シアノ基、ヒドロキシル基、ニトロ基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ基、アミノ基（アルキルアミノ基、アリールアミノ基）、アシルアミノ基（アミド基）、アミノカルボニルアミノ基（ウレイド基）、アルコキシカルボニルアミノ基、アリールオキシカルボニルアミノ基、スルファモイルアミノ基、アルキルスルホニルアミノ基、アリールスルホニルアミノ基、アルキルチオ基、アリールチオ基、ヘテロ環チオ基、スルファモイル基、アルキルスルフィニル基、アリールスルフィニル基、アルキルスルホニル基、アリールスルホニル基、アシル基、アリールオキシカルボニル基、アルコキシカルボニル基、カルバモイル基、ホスフィノ基、ホスフィニル基、ホスフィニルオキシ基、ホスフィニルアミノ基、シリル基、アゾ基、イミド基、ホスホリル基を挙げることができ、各々はさらに置換基を有していてもよい。
【００４２】
中でも特に好ましいＲ１、Ｒ２及びＷは、それぞれ独立に水素原子、ハロゲン原子、アルキル基、アリール基、ヘテロ環基、シアノ基、ヒドロキシル基、アルコキシ基、アミド基、ウレイド基、アルキルスルホニルアミノ基、アリールスルホニルアミノ基、スルファモイル基、アルキルスルホニル基、アリールスルホニル基、カルバモイル基、またはアルコキシカルボニル基であり、特に水素原子、ハロゲン原子、アルキル基、アリール基、シアノ基、ヒドロキシル基、アルキルスルホニル基、アリールスルホニル基、ヘテロ環基またはアルコキシカルボニル基が好ましく、水素原子、アルキル基、アリール基、ヒドロキシル基、アルコキシカルボニル基が最も好ましい。
【００４３】
以下に、前記Ｒ１、Ｒ２及びＷを更に詳しく説明する。
Ｒ１、Ｒ２及びＷで表されるハロゲン原子は、塩素原子、臭素原子、またはヨウ素原子を表す。中でも塩素原子、または臭素原子が好ましく、特に塩素原子が好ましい。
【００４４】
Ｒ１、Ｒ２及びＷで表されるアルキル基は、置換もしくは無置換のアルキル基が含まれる。置換又は無置換のアルキル基は、炭素原子数が１〜３０のアルキル基が好ましい。置換基の例としては、前記一般式（２）におけるＸ、Ｙ、Ｚ、Ｗ０、Ｗ１、Ｗ２、Ｗ３、Ｗ４で挙げた置換基と同じものを挙げることができる。中でも、ヒドロキシ基、アルコキシ基、シアノ基、およびハロゲン原子、スルホ基(塩の形でもよい) またはカルボキシル基(塩の形でもよい)が好ましい。前記アルキル基の例には、メチル、エチル、ｎ−プロピル、ｉ−プロピル、ｎ−ブチル、ｉ−ブチル、ｓ−ブチル、ｔ−ブチル、ｎ−オクチル、エイコシル、２−クロロエチル、ヒドロキシエチル、シアノエチルまたは４−スルホブチルを挙げることが出来る。
【００４５】
Ｒ１、Ｒ２及びＷで表されるシクロアルキル基は、置換もしくは無置換のシクロアルキル基が含まれる。置換基又は無置換のシクロアルキル基は、炭素原子数が５〜３０のシクロアルキル基が好ましい。置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記シクロアルキル基の例にはシクロヘキシル、シクロペンチル、または４−ｎ−ドデシルシクロヘキシルを挙げることができる。
【００４６】
Ｒ１、Ｒ２及びＷで表されるアラルキル基は、置換もしくは無置換のアラルキル基が含まれる。置換もしくは無置換のアラルキル基としては、炭素原子数が７〜３０のアラルキル基が好ましい。置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記アラルキルの例にはベンジルおよび２−フェネチルを挙げることが出来る。
【００４７】
Ｒ１、Ｒ２及びＷで表されるアルケニル基は、直鎖、分岐、環状の置換もしくは無置換のアルケニル基を表す。好ましくは炭素数２−３０の置換又は無置換のアルケニル基、例えば、ビニル、アリル、プレニル、ゲラニル、オレイル、２−シクロペンテンー１−イル、２−シクロヘキセンー１−イルなどを挙げることが出来る。
【００４８】
Ｒ１、Ｒ２及びＷで表されるアルキニル基は、炭素数２から３０の置換又は無置換のアルキニル基であり、例えば、エチニル、またはプロパルギルを挙げることが出来る。
【００４９】
Ｒ１、Ｒ２及びＷで表されるアリール基は、炭素数６から３０の置換もしくは無置換のアリール基、例えばフェニル、ｐ−トリル、ナフチル、ｍ−クロロフェニル、またはｏ−ヘキサデカノイルアミノフェニルである。置換基の例としては、前記一般式（２）におけるＸ、Ｙ、Ｚ、Ｗ０、Ｗ１、Ｗ２、Ｗ３、Ｗ４で挙げた置換基と同じものを挙げることができる。
【００５０】
Ｒ１、Ｒ２及びＷで表されるヘテロ環基は、５又は６員の置換もしくは無置換の、芳香族もしくは非芳香族のヘテロ環化合物から一個の水素原子を取り除いた一価の基であり、それらは更に縮環していてもよい。更に好ましくは、炭素数３から３０の５もしくは６員の芳香族のヘテロ環基である。置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記ヘテロ環基の例には、置換位置を限定しないで例示すると、ピリジン、ピラジン、ピリダジン、ピリミジン、トリアジン、キノリン、イソキノリン、キナゾリン、シンノリン、フタラジン、キノキサリン、ピロール、インドール、フラン、ベンゾフラン、チオフェン、ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール、チアジアゾール、イソオキサゾール、ベンズイソオキサゾール、ピロリジン、ピペリジン、ピペラジン、イミダゾリジン、チアゾリンなどが挙げられる。
【００５１】
Ｒ１、Ｒ２及びＷで表されるアルコキシ基は、置換もしくは無置換のアルコキシ基が含まれる。置換もしくは無置換のアルコキシ基としては、炭素原子数が１〜３０のアルコキシ基が好ましい。置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記アルコキシ基の例には、メトキシ、エトキシ、イソプロポキシ、ｎ−オクチルオキシ、メトキシエトキシ、ヒドロキシエトキシおよび３−カルボキシプロポキシなどを挙げることが出来る。
【００５２】
Ｒ１、Ｒ２及びＷで表されるアリールオキシ基は、炭素数６から３０の置換もしくは無置換のアリールオキシ基が好ましい。置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記アリールオキシ基の例には、フェノキシ、２−メチルフェノキシ、４−ｔ−ブチルフェノキシ、３−ニトロフェノキシ、２−テトラデカノイルアミノフェノキシなどを挙げることが出来る。
【００５３】
Ｒ１、Ｒ２及びＷで表されるシリルオキシ基は、炭素数３から２０のシリルオキシ基が好ましく、例えば、トリメチルシリルオキシ、ｔ−ブチルジメチルシリルオキシなどを挙げることが出来る。
【００５４】
Ｒ１、Ｒ２及びＷで表されるで表されるヘテロ環オキシ基は、炭素数２から３０の置換もしくは無置換のヘテロ環オキシ基が好ましい。置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記ヘテロ環オキシ基の例には、例えば、１−フェニルテトラゾールー５−オキシ、２−テトラヒドロピラニルオキシなどを挙げることが出来る。
【００５５】
Ｒ１、Ｒ２及びＷで表されるアシルオキシ基は、ホルミルオキシ基、炭素数２から３０の置換もしくは無置換のアルキルカルボニルオキシ基、炭素数６から３０の置換もしくは無置換のアリールカルボニルオキシ基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記アシルオキシ基の例には、例えば、ホルミルオキシ、アセチルオキシ、ピバロイルオキシ、ステアロイルオキシ、ベンゾイルオキシ、ｐ−メトキシフェニルカルボニルオキシなどを挙げることが出来る。
【００５６】
Ｒ１、Ｒ２及びＷで表されるカルバモイルオキシ基は、炭素数１から３０の置換もしくは無置換のカルバモイルオキシ基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記カルバモイルオキシ基の例には、例えば、Ｎ，Ｎ−ジメチルカルバモイルオキシ、Ｎ，Ｎ−ジエチルカルバモイルオキシ、モルホリノカルボニルオキシ、Ｎ，Ｎ−ジ−ｎ−オクチルアミノカルボニルオキシ、Ｎ−ｎ−オクチルカルバモイルオキシなどを挙げることが出来る。
【００５７】
Ｒ１、Ｒ２及びＷで表されるアルコキシカルボニルオキシ基は、炭素数２から３０の置換もしくは無置換アルコキシカルボニルオキシ基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記アルコキシカルボニルオキシ基の例には、例えばメトキシカルボニルオキシ、エトキシカルボニルオキシ、ｔ−ブトキシカルボニルオキシ、ｎ−オクチルカルボニルオキシなどを挙げることが出来る。
【００５８】
Ｒ１、Ｒ２及びＷで表されるで表されるアリールオキシカルボニルオキシ基は、炭素数７から３０の置換もしくは無置換のアリールオキシカルボニルオキシ基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記アリールオキシカルボニルオキシ基の例には、例えば、フェノキシカルボニルオキシ、ｐ−メトキシフェノキシカルボニルオキシ、ｐ−ｎ−ヘキサデシルオキシフェノキシカルボニルオキシなどを挙げることが出来る。
【００５９】
Ｒ１、Ｒ２及びＷで表されるアミノ基は、炭素数１から３０の置換もしくは無置換のアルキルアミノ基、炭素数６から３０の置換もしくは無置換のアリールアミノ基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記アミノ基の例には、例えば、アミノ、メチルアミノ、ジメチルアミノ、アニリノ、Ｎ-メチル−アニリノ、ジフェニルアミノ、ヒドロキシエチルアミノ、カルボキシエチルアミノ、スルフォエチルアミノ、３，５−ジカルボキシアニリノなどを挙げることが出来る。
【００６０】
Ｒ１、Ｒ２及びＷで表されるアシルアミノ基は、ホルミルアミノ基、炭素数１から３０の置換もしくは無置換のアルキルカルボニルアミノ基、炭素数６から３０の置換もしくは無置換のアリールカルボニルアミノ基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記アシルアミノ基の例には、例えば、ホルミルアミノ、アセチルアミノ、ピバロイルアミノ、ラウロイルアミノ、ベンゾイルアミノ、３，４，５−トリ−ｎ−オクチルオキシフェニルカルボニルアミノなどを挙げることが出来る。
【００６１】
Ｒ１、Ｒ２及びＷで表されるアミノカルボニルアミノ基は、炭素数１から３０の置換もしくは無置換のアミノカルボニルアミノ基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記アミノカルボニルアミノ基の例には、例えば、カルバモイルアミノ、Ｎ，Ｎ−ジメチルアミノカルボニルアミノ、Ｎ，Ｎ−ジエチルアミノカルボニルアミノ、モルホリノカルボニルアミノなどを挙げることが出来る。
【００６２】
Ｒ１、Ｒ２及びＷで表されるアルコキシカルボニルアミノ基は、炭素数２から３０の置換もしくは無置換アルコキシカルボニルアミノ基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記アルコキシカルボニルアミノ基の例には、例えば、メトキシカルボニルアミノ、エトキシカルボニルアミノ、ｔ−ブトキシカルボニルアミノ、ｎ−オクタデシルオキシカルボニルアミノ、Ｎ−メチルーメトキシカルボニルアミノなどを挙げることが出来る。
【００６３】
Ｒ１、Ｒ２及びＷで表されるアリールオキシカルボニルアミノ基は、炭素数７から３０の置換もしくは無置換のアリールオキシカルボニルアミノ基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記アリールオキシカルボニルアミノ基の例には、例えば、フェノキシカルボニルアミノ、ｐ−クロロフェノキシカルボニルアミノ、ｍ−ｎ−オクチルオキシフェノキシカルボニルアミノなどを挙げることが出来る。
【００６４】
Ｒ１、Ｒ２及びＷで表されるスルファモイルアミノ基は、炭素数０から３０の置換もしくは無置換のスルファモイルアミノ基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記スルファモイルアミノ基の例には、例えば、スルファモイルアミノ、Ｎ，Ｎ−ジメチルアミノスルホニルアミノ、Ｎ−ｎ−オクチルアミノスルホニルアミノなどを挙げることが出来る。
【００６５】
Ｒ１、Ｒ２及びＷで表されるアルキル及びアリールスルホニルアミノ基は、炭素数１から３０の置換もしくは無置換のアルキルスルホニルアミノ基、炭素数６から３０の置換もしくは無置換のアリールスルホニルアミノ基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記アルキルスルホニルアミノ基及びアリールスルホニルアミノ基の例には、例えば、メチルスルホニルアミノ、ブチルスルホニルアミノ、フェニルスルホニルアミノ、２，３，５−トリクロロフェニルスルホニルアミノ、ｐ−メチルフェニルスルホニルアミノなどを挙げることが出来る。
【００６６】
Ｒ１、Ｒ２及びＷで表されるアルキルチオ基は、炭素数１から３０の置換もしくは無置換のアルキルチオ基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記アルキルチオ基の例には、例えばメチルチオ、エチルチオ、ｎ−ヘキサデシルチオなどを挙げることが出来る。
【００６７】
Ｒ１、Ｒ２及びＷで表されるアリールチオ基は炭素数６から３０の置換もしくは無置換のアリールチオ基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記アリールチオ基の例には、例えば、フェニルチオ、ｐ−クロロフェニルチオ、ｍ−メトキシフェニルチオなどを挙げることが出来る。
【００６８】
Ｒ１、Ｒ２及びＷで表されるヘテロ環チオ基は、炭素数２から３０の置換又は無置換のヘテロ環チオ基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記ヘテロ環チオ基の例には、例えば、２−ベンゾチアゾリルチオ、１−フェニルテトラゾール−５−イルチオなどを挙げることが出来る。
【００６９】
Ｒ１、Ｒ２及びＷで表されるスルファモイル基は、炭素数０から３０の置換もしくは無置換のスルファモイル基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記スルファモイル基の例には、例えば、Ｎ−エチルスルファモイル、Ｎ−（３−ドデシルオキシプロピル）スルファモイル、Ｎ，Ｎ−ジメチルスルファモイル、Ｎ−アセチルスルファモイル、Ｎ−ベンゾイルスルファモイル、Ｎ−（Ｎ‘−フェニルカルバモイル）スルファモイル）などを挙げることが出来る。
【００７０】
Ｒ１、Ｒ２及びＷで表されるアルキル及びアリールスルフィニル基は、炭素数１から３０の置換又は無置換のアルキルスルフィニル基、６から３０の置換又は無置換のアリールスルフィニル基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記アルキル及びアリールスルフィニル基の例には、例えば、メチルスルフィニル、エチルスルフィニル、フェニルスルフィニル、ｐ−メチルフェニルスルフィニルなどを挙げることが出来る。
【００７１】
Ｒ１、Ｒ２及びＷで表されるアルキル及びアリールスルホニル基は、炭素数１から３０の置換又は無置換のアルキルスルホニル基、６から３０の置換又は無置換のアリールスルホニル基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記アルキル及びアリールスルホニル基の例には、例えば、メチルスルホニル、エチルスルホニル、フェニルスルホニル、ｐ−トルエンスルホニルなどを挙げることが出来る。
【００７２】
Ｒ１、Ｒ２及びＷで表されるアシル基は、ホルミル基、炭素数２から３０の置換又は無置換のアルキルカルボニル基、炭素数７から３０の置換もしくは無置換のアリールカルボニル基、炭素数４から３０の置換もしくは無置換の炭素原子でカルボニル基と結合しているヘテロ環カルボニル基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記アシル基の例には、例えば、アセチル、ピバロイル、２−クロロアセチル、ステアロイル、ベンゾイル、ｐ−ｎ−オクチルオキシフェニルカルボニル、２―ピリジルカルボニル、２―フリルカルボニルなどを挙げることが出来る。
【００７３】
Ｒ１、Ｒ２及びＷで表されるアリールオキシカルボニル基は、炭素数７から３０の置換もしくは無置換のアリールオキシカルボニル基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記アリールオキシカルボニル基の例には、例えば、フェノキシカルボニル、ｏ−クロロフェノキシカルボニル、ｍ−ニトロフェノキシカルボニル、ｐ−ｔ−ブチルフェノキシカルボニルなどを挙げることが出来る。
【００７４】
Ｒ１、Ｒ２及びＷで表されるアルコキシカルボニル基は、炭素数２から３０の置換もしくは無置換アルコキシカルボニル基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記アルコキシカルボニル基の例には、例えば、メトキシカルボニル、エトキシカルボニル、ｔ−ブトキシカルボニル、ｎ−オクタデシルオキシカルボニルなどを挙げることが出来る。
【００７５】
Ｒ１、Ｒ２及びＷで表されるカルバモイル基は、炭素数１から３０の置換もしくは無置換のカルバモイル基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記カルバモイル基の例には、例えば、カルバモイル、Ｎ−メチルカルバモイル、Ｎ，Ｎ−ジメチルカルバモイル、Ｎ，Ｎ−ジ−ｎ−オクチルカルバモイル、Ｎ−（メチルスルホニル）カルバモイルなどを挙げることが出来る。
【００７６】
Ｒ１、Ｒ２及びＷで表されるホスフィノ基は、炭素数２から３０の置換もしくは無置換のホスフィノ基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記ホスフィノ基の例には、例えば、ジメチルホスフィノ、ジフェニルホスフィノ、メチルフェノキシホスフィノなどを挙げることが出来る。
【００７７】
Ｒ１、Ｒ２及びＷで表されるホスフィニル基は、炭素数２から３０の置換もしくは無置換のホスフィニル基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記ホスフィニル基の例には、例えば、ホスフィニル、ジオクチルオキシホスフィニル、ジエトキシホスフィニルなどを挙げることが出来る。
【００７８】
Ｒ１、Ｒ２及びＷで表されるホスフィニルオキシ基は、炭素数２から３０の置換もしくは無置換のホスフィニルオキシ基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記ホスフィニルオキシ基の例には、例えば、ジフェノキシホスフィニルオキシ、ジオクチルオキシホスフィニルオキシなどを挙げることが出来る。
【００７９】
Ｒ１、Ｒ２及びＷで表されるホスフィニルアミノ基は、炭素数２から３０の置換もしくは無置換のホスフィニルアミノ基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記ホスフィニルアミノ基の例には、例えば、ジメトキシホスフィニルアミノ、ジメチルアミノホスフィニルアミノなどを挙げることが出来る。
【００８０】
Ｒ１、Ｒ２及びＷで表されるシリル基は、炭素数３から３０の置換もしくは無置換のシリル基が好ましく、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記シリル基の例には、例えば、トリメチルシリル、ｔ−ブチルジメチルシリル、フェニルジメチルシリルなどを挙げることが出来る。
【００８１】
Ｒ１、Ｒ２及びＷで表されるアゾ基は、例えば、フェニルアゾ、４−メトキシフェニルアゾ、４−ピバロイルアミノフェニルアゾ、２−ヒドロキシ−４−プロパノイルフェニルアゾなどを挙げることが出来る。
【００８２】
Ｒ１、Ｒ２及びＷで表されるイミド基は、例えば、Ｎ−スクシンイミド、Ｎ−フタルイミドなどを挙げることが出来る。
【００８３】
Ｒ１、Ｒ２及びＷで表されるホスホリル基には、置換基を有するホスホリル基および無置換のホスホリル基が含まれる。ホスホリル基の例には、フェノキシホスホリル基およびフェニルホスホリル基が含まれる。
【００８４】
三価の連結基の総炭素数は０乃至５０であることが好ましく、０乃至３０であることがより好ましく、０乃至１０であることが最も好ましい。
【００８５】
一般式（４）中、ｓの好ましい例は、１または２であり、特に１が好ましい。ｔの好ましい例は、０または１であり、特に０が好ましい。
【００８６】
一般式（４）中、Ｇが構成する５〜６員へテロ環の好ましい例は、５員又は６員の置換もしくは無置換の、芳香族もしくは非芳香族のヘテロ環基が好ましく、それらは更に縮環していてもよい。更に好ましくは、炭素数が３から３０の５員もしくは６員の芳香族のヘテロ環基である。
【００８７】
前記Ｇで表されるヘテロ環基の例には、置換位置を限定しないで例示すると、ピリジン、ピラジン、ピリダジン、ピリミジン、トリアジン、キノリン、イソキノリン、キナゾリン、シンノリン、フタラジン、キノキサリン、ピロール、インドール、フラン、ベンゾフラン、チオフェン、ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール、チアジアゾール、イソオキサゾール、ベンズイソオキサゾール、ピロリジン、ピペリジン、ピペラジン、イミダゾリジン、チアゾリン、スルホランなどが挙げられる
【００８８】
更に好ましくは、ピリジン環、ピラジン環、ピリダジン環、ピリミジン環、トリアジン環が好ましく、その中でもピリジン環、ピリミジン環、トリアジン環が好ましく、ｓ−トリアジン環が最も好ましい。
【００８９】
前記Ｇが構成するヘテロ環基が、更に置換基を有することが可能な基であるときは、置換基の例としては、前記一般式（２）におけるＸ、Ｙ、Ｚ、Ｗ０、Ｗ１、Ｗ２、Ｗ３、Ｗ４で挙げた置換基と同じものを挙げることができる。前記一般式（２）で表されるヘテロ環基が更に置換基を有することが可能な基であるときに挙げたような置換基と同じものが挙げられる。
【００９０】
本発明の一般式（４）で表されるアゾ化合物の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【００９１】
本発明の一般式（４）で表されるアゾ化合物として特に好ましい組み合わせは、以下の（イ）〜（ル）を含むものである。
【００９２】
（イ）Ｇは、５〜６員含窒素ヘテロ環が好ましく、特にＳ-トリアジン環、ピリミジン環、ピリダジン環、ピラジン環、ピリジン環、イミダゾール環、ピラゾール環、またはピロール環が好ましく、その中でもＳ-トリアジン環、ピリミジン環、ピリダジン環、またはピラジン環が好ましく、Ｓ-トリアジン環が最も好ましい。
【００９３】
（ロ）ｓは１〜４の整数を表し、好ましくは１〜２の整数であり、特に１が最も好ましい。
【００９４】
（ハ）ｔは０〜３の整数を表し、好ましくは０〜１の整数であり、特に０が最も好ましい。
【００９５】
（ニ）Ｒ１及びＲ２はそれぞれ独立に置換もしくは無置換の総炭素数Ｃ１〜Ｃ１２のアルキル基、置換もしくは無置換の総炭素数Ｃ６〜Ｃ１８のアリール基、または置換もしくは無置換の総炭素数Ｃ４〜Ｃ１２ヘテロ環基が好ましく、その中でも、総炭素原子数Ｃ１〜Ｃ８の直鎖アルキル基または分岐のアルキル基が好ましく、特にメチル基、２級または３級アルキル基が好ましく、メチル基、ｔ−ブチル基が最も好ましい。
【００９６】
（ホ）Ｈｅｔ−１及びＨｅｔ−２は、それぞれ独立に前記一般式（２）で表される芳香族ヘテロ環基群（１）〜（１５）から選ばれる基が好ましく、その中でも（１）、（２）、（３）、（４）、（５）、（６）、（７）、（８）、（９）、（１０）、（１１）が好ましく、特に（２）、（５）、（６）、（７）、（８）、（９）、（１０）が好ましく、更に（２）、（５）、（６）、（７）、（１０）が好ましく、その中でも（７）が最も好ましい。
【００９７】
（ヘ）Ｘとして特に好ましいものは、シアノ基、炭素数１〜１２のアルキルスルホニル基、炭素数６〜１８のアリールスルホニル基、または炭素数０〜１２のスルファモイル基であり、その中でも、シアノ基、または炭素数１〜１２のアルキルスルホニル基が好ましく、最も好ましいものは、シアノ基である。
【００９８】
（ト）Ｙは水素原子、置換もしくは無置換の総炭素数Ｃ１〜Ｃ１２のアルキル基、置換もしくは無置換の総炭素数Ｃ６〜Ｃ１８のアリール基、または置換もしくは無置換の総炭素数Ｃ４〜Ｃ１２ヘテロ環基が好ましく、その中でも、水素原子、総炭素原子数Ｃ１〜Ｃ８の直鎖アルキル基または分岐のアルキル基が好ましく、特に水素原子、またはＣ１〜Ｃ８のアルキル基が好ましく、水素原子が最も好ましい。
【００９９】
（チ）Ｚは、水素原子、置換もしくは無置換のアルキル基、置換もしくは無置換のシクロアルキル基、置換もしくは無置換のアルケニル基、置換もしくは無置換のアルキニル基、置換もしくは無置換のアラルキル基、置換もしくは無置換のアリール基、または置換もしくは無置換のヘテロ環基が好ましく、特に好ましい置換基は置換もしくは無置換のアリール基、または置換もしくは無置換のへテロ環基である。
【０１００】
（リ）Ｗ０として特に好ましいものは、シアノ基、炭素数１〜１２のアルキルスルホニル基、炭素数６〜１８のアリールスルホニル基、または炭素数０〜１２のスルファモイル基であり、その中でも、シアノ基、またはメタンスルホニル基、フェニルスルホニル基が好ましく、最も好ましいものは、シアノ基である。
【０１０１】
（ヌ）Ｗ１〜Ｗ４は、水素原子、置換もしくは無置換の総炭素数Ｃ１〜Ｃ１２のアルキル基、置換もしくは無置換の総炭素数Ｃ６〜Ｃ１８のアリール基、または置換もしくは無置換の総炭素数Ｃ４〜Ｃ１２ヘテロ環基が好ましく、その中でも、水素原子、総炭素原子数Ｃ１〜Ｃ８の直鎖アルキル基または分岐のアルキル基が好ましく、特に水素原子、またはＣ１〜Ｃ８のアルキル基が好ましく、水素原子が最も好ましい。
【０１０２】
前記一般式（４）で表されるアゾ化合物のうち、好ましくは下記一般式（６）で表される化合物である。
以下、一般式（６）について詳細に説明する。
一般式（６）
【０１０３】
【化８】
2009073992.tif 000010
【０１０４】
一般式（６）中、Ｒ１、Ｒ２はそれぞれ独立に水素原子または一価の置換基を表す。Ｈｅｔ-１、Ｈｅｔ-２はそれぞれ独立に、前記一般式（４）で表されるＨｅｔ-１、Ｈｅｔ-２と同義である。＊は、一般式（６）中のアゾ基との結合部位を表す。
【０１０５】
以下に、前記Ｒ１、Ｒ２、Ｈｅｔ−１及びＨｅｔ−２を更に詳しく説明する。
Ｒ１、Ｒ２の置換基例は、それぞれ独立に前記一般式（４）中のＲ１、Ｒ２の例と同義であり、好ましい例も同じである。
Ｈｅｔ−１、Ｈｅｔ−２の表すヘテロ環基は、それぞれ独立に前記一般式（４）中のＨｅｔ−１、Ｈｅｔ−２の例と同義であり、好ましい例も同じである。
本発明の一般式（６）で表される顔料の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【０１０６】
本発明の一般式（６）で表されるアゾ化合物として特に好ましい組み合わせは、以下の（イ）〜（ト）を含むものである。
【０１０７】
（イ）Ｒ１及びＲ２はそれぞれ独立に置換もしくは無置換の総炭素数Ｃ１〜Ｃ１２のアルキル基、置換もしくは無置換の総炭素数Ｃ６〜Ｃ１８のアリール基、または置換もしくは無置換の総炭素数Ｃ４〜Ｃ１２ヘテロ環基が好ましく、その中でも、総炭素原子数Ｃ１〜Ｃ８の直鎖アルキル基または分岐のアルキル基が好ましく、特にメチル基、２級または３級アルキル基が好ましく、メチル基、ｔ−ブチル基が最も好ましい。
【０１０８】
（ロ）Ｈｅｔ−１及びＨｅｔ−２は、それぞれ独立に前記一般式（２）で表される芳香族ヘテロ環基群（１）〜（１５）から選ばれる基が好ましく、その中でも（１）、（２）、（３）、（４）、（５）、（６）、（７）、（８）、（９）、（１０）、（１１）が好ましく、特に（２）、（５）、（６）、（７）、（８）、（９）、（１０）が好ましく、更に（２）、（５）、（６）、（７）、（１０）が好ましく、その中でも（７）が最も好ましい。
【０１０９】
（ハ）Ｘとして特に好ましいものは、シアノ基、炭素数１〜１２のアルキルスルホニル基、炭素数６〜１８のアリールスルホニル基、または炭素数０〜１２のスルファモイル基であり、その中でも、シアノ基、または炭素数１〜１２のアルキルスルホニル基が好ましく、最も好ましいものは、シアノ基である。
【０１１０】
（ニ）Ｙは水素原子、置換もしくは無置換の総炭素数Ｃ１〜Ｃ１２のアルキル基、置換もしくは無置換の総炭素数Ｃ６〜Ｃ１８のアリール基、または置換もしくは無置換の総炭素数Ｃ４〜Ｃ１２ヘテロ環基が好ましく、その中でも、水素原子、総炭素原子数Ｃ１〜Ｃ８の直鎖アルキル基または分岐のアルキル基が好ましく、特に水素原子、またはＣ１〜Ｃ８のアルキル基が好ましく、水素原子が最も好ましい。
【０１１１】
（ホ）Ｚは、水素原子、置換もしくは無置換のアルキル基、置換もしくは無置換のシクロアルキル基、置換もしくは無置換のアルケニル基、置換もしくは無置換のアルキニル基、置換もしくは無置換のアラルキル基、置換もしくは無置換のアリール基、または置換もしくは無置換のヘテロ環基が好ましく、特に好ましい置換基は、置換もしくは無置換のアリール基、または置換もしくは無置換のへテロ環基である。
【０１１２】
（ヘ）Ｗ０として特に好ましいものは、シアノ基、炭素数１〜１２のアルキルスルホニル基、炭素数６〜１８のアリールスルホニル基、または炭素数０〜１２のスルファモイル基であり、その中でも、シアノ基、またはメタンスルホニル基、フェニルスルホニル基が好ましく、最も好ましいものは、シアノ基である。
【０１１３】
（ト）Ｗ１〜Ｗ４は、水素原子、置換もしくは無置換の総炭素数Ｃ１〜Ｃ１２のアルキル基、置換もしくは無置換の総炭素数Ｃ６〜Ｃ１８のアリール基、または置換もしくは無置換の総炭素数Ｃ４〜Ｃ１２ヘテロ環基が好ましく、その中でも、水素原子、総炭素原子数Ｃ１〜Ｃ８の直鎖アルキル基または分岐のアルキル基が好ましく、特に水素原子、またはＣ１〜Ｃ８のアルキル基が好ましく、水素原子が最も好ましい。
【０１１４】
前記一般式（４）および（６）で表されるアゾ化合物は、化学構造上数種の互変異性体を取りうるが、前記一般式（４）および（６）で示される極限構造式を取っていることが、顔料として使用したときの分散性および分散安定性の点から好ましい。一般式（４）および（６）で示される構造以外の互変異性体を含有した混合物であってもよいが、好ましくは互変異性体の含有率が３０％以下であり、さらに好ましくは１０％以下であり、最も好ましくは０％である。
前記一般式（４）および（６）で表されるアゾ化合物の具体例（例示アゾ化合物Ｐｉｇ−１〜Ｐｉｇ−２３）を以下に示すが、本発明のアゾ化合物は、下記の例に限定されるものではない。
【０１１５】
また、以下の具体例の構造は化学構造上取りうる数種の互変異性体の中から極限構造式の形で示されるが、記載された構造以外の互変異性体を含有した混合物として用いても良いことは言うまでもない。
【０１１６】
【化９】
2009073992.tif 000011
【０１１７】
【化１０】
2009073992.tif 000012
【０１１８】
【化１１】
2009073992.tif 000013
【０１１９】
【化１２】
2009073992.tif 000014
【０１２０】
【化１３】
2009073992.tif 000015
【０１２１】
【化１４】
2009073992.tif 000016
【０１２２】
以下に、本発明の製造方法に関して詳細に説明する。
本発明のアゾ化合物の製造方法は、下記一般式（１）で表されるヘテロ環アミンをジアゾニウム化したジアゾニウム化合物と、下記一般式（３）で表される化合物とのカップリング反応によって下記一般式（４）で表されるアゾ化合物を製造する方法において、種結晶としての下記一般式（４）で表されるアゾ化合物の存在下カップリング反応を行うことを特徴とする。
【０１２３】
一般式（１）
Ｈｅｔ−ＮＨ２ 
（式中、Ｈｅｔは前記一般式（２）で表される芳香族へテロ環群から選ばれるヘテロ環基と同義である。＊は、一般式（１）中のアミノ基との結合部位を表す。）
一般式（３）
【０１２４】
【化１５】
2009073992.tif 000017
【０１２５】
（式中、Ｒ１、Ｒ２はそれぞれ独立に水素原子または一価の置換基を表す。Ｇは５〜６員ヘテロ環を構成する事ができる原子団を表す。ＷはＧが構成するヘテロ環に結合可能な置換基を表す。ｓは１〜４の整数を表し、ｔは０〜３の整数を表し、ｓ＋ｔは４以下の整数である。）
一般式（４）
【０１２６】
【化１６】
2009073992.tif 000018
【０１２７】
（一般式（４）中、Ｒ１、Ｒ２はそれぞれ独立に水素原子または置換基を表す。Ｇは５〜６員ヘテロ環を構成することができる原子団を表す。ＷはＧが構成するヘテロ環に結合可能な置換基を表す。ｓは１〜４の整数を表し、ｔは０〜３の整数を表し、ｓ＋ｔは４以下の整数である。Ｈｅｔ−１、Ｈｅｔ−２はそれぞれ独立に、前記一般式（２）で表される芳香族ヘテロ環基群から選ばれる基を表す。＊は、一般式（４）中のアゾ基との結合部位を表す。）
【０１２８】
一般式（１）中、Ｈｅｔは、前記一般式（４）で表されるＨｅｔ-１、Ｈｅｔ-２と同義であり、好ましい例も同じである。＊は、一般式（１）中のアミノ基との結合部位を表す。
一般式（３）中、Ｒ１、Ｒ２は、前記一般式（４）で表されるＲ１、Ｒ２と同義であり、好ましい例も同じである。
Ｇの置換基例は、前記一般式（４）中のＧの例と同義であり、好ましい例も同じである。
Ｗは、前記一般式（４）中のＷの例と同義であり、好ましい例も同じである。
ｓ及びｔは、前記一般式（４）中のｓ及びｔの例と同義であり、好ましい例も同じである。
【０１２９】
本発明の一般式（１）、一般式（３）で表されるアゾ顔料の中間体の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【０１３０】
本発明の一般式（１）、一般式（３）で表されるアゾ顔料の中間体として特に好ましい組み合わせは、以下の（イ）〜（ヌ）を含むものである。
【０１３１】
（イ）Ｇは、５〜６員含窒素ヘテロ環が好ましく、特にＳ-トリアジン環、ピリミジン環、ピリダジン環、ピラジン環、ピリジン環、イミダゾール環、ピラゾール環、またはピロール環が好ましく、その中でもＳ-トリアジン環、ピリミジン環、ピリダジン環、またはピラジン環が好ましく、Ｓ-トリアジン環が最も好ましい。
【０１３２】
（ロ）ｓは１〜４の整数を表し、好ましくは１または２であり、特に１が最も好ましい。
【０１３３】
（ハ）ｔは０〜３の整数を表し、好ましくは０または１であり、特に０が最も好ましい。
【０１３４】
（ニ）Ｒ１及びＲ２はそれぞれ独立に置換もしくは無置換の総炭素数Ｃ１〜Ｃ１２のアルキル基、置換もしくは無置換の総炭素数Ｃ６〜Ｃ１８のアリール基、または置換もしくは無置換の総炭素数Ｃ４〜Ｃ１２ヘテロ環基が好ましく、その中でも、総炭素原子数Ｃ１〜Ｃ８の直鎖アルキル基または分岐のアルキル基が好ましく、特にメチル基、２級または３級アルキル基が好ましく、メチル基、ｔ−ブチル基が最も好ましい。
【０１３５】
（ホ）Ｈｅｔ−１及びＨｅｔ−２は、それぞれ独立に前記一般式（２）で表される芳香族ヘテロ環基群（１）〜（１５）から選ばれる基が好ましく、その中でも（１）、（２）、（３）、（４）、（５）、（６）、（７）、（８）、（９）、（１０）、（１１）が好ましく、特に（２）、（５）、（６）、（７）、（８）、（９）、（１０）が好ましく、更に（２）、（５）、（６）、（７）、（１０）が好ましく、その中でも（７）が最も好ましい。
【０１３６】
（ヘ）Ｘとして特に好ましいものは、シアノ基、炭素数１〜１２のアルキルスルホニル基、炭素数６〜１８のアリールスルホニル基、または炭素数０〜１２のスルファモイル基であり、その中でも、シアノ基、または炭素数１〜１２のアルキルスルホニル基が好ましく、最も好ましいものは、シアノ基である。
【０１３７】
（ト）Ｙは水素原子、置換もしくは無置換の総炭素数Ｃ１〜Ｃ１２のアルキル基、置換もしくは無置換の総炭素数Ｃ６〜Ｃ１８のアリール基、または置換もしくは無置換の総炭素数Ｃ４〜Ｃ１２ヘテロ環基が好ましく、その中でも、水素原子、総炭素原子数Ｃ１〜Ｃ８の直鎖アルキル基または分岐のアルキル基が好ましく、特に水素原子、またはＣ１〜Ｃ８のアルキル基が好ましく、水素原子が最も好ましい。
【０１３８】
（チ）Ｚは、水素原子、置換もしくは無置換のアルキル基、置換もしくは無置換のシクロアルキル基、置換もしくは無置換のアルケニル基、置換もしくは無置換のアルキニル基、置換もしくは無置換のアラルキル基、置換もしくは無置換のアリール基、または置換もしくは無置換のヘテロ環基が好ましく、特に好ましい置換基は置換もしくは無置換のアリール基、または置換もしくは無置換のへテロ環基である。
【０１３９】
（リ）Ｗ０として特に好ましいものは、シアノ基、炭素数１〜１２のアルキルスルホニル基、炭素数６〜１８のアリールスルホニル基、または炭素数０〜１２のスルファモイル基であり、その中でも、シアノ基、またはメタンスルホニル基、フェニルスルホニル基が好ましく、最も好ましいものは、シアノ基である。
【０１４０】
（ヌ）Ｗ１〜Ｗ４は、水素原子、置換もしくは無置換の総炭素数Ｃ１〜Ｃ１２のアルキル基、置換もしくは無置換の総炭素数Ｃ６〜Ｃ１８のアリール基、または置換もしくは無置換の総炭素数Ｃ４〜Ｃ１２ヘテロ環基が好ましく、その中でも、水素原子、総炭素原子数Ｃ１〜Ｃ８の直鎖アルキル基または分岐のアルキル基が好ましく、特に水素原子、またはＣ１〜Ｃ８のアルキル基が好ましく、水素原子が最も好ましい。
【０１４１】
ジアゾニウム化は、慣用法によって実施できる。
例えば、下記一般式（７）で表される化合物のジアゾニウム化は、例えば酸（例えば、塩酸、リン酸、酢酸、プロピオン酸、メタンスルホン酸、トリフルオロメタンスルホン酸等）含有反応媒質中で、ニトロソニウムイオン源、例えば亜硝酸、亜硝酸塩を用いる慣用のジアゾニウム化合物形成方法が適用できる。
一般式（７）：
【０１４２】
【化１７】
2009073992.tif 000019
【０１４３】
より好ましい酸の例としては、酢酸、プロピオン酸、メタンスルホン酸、リン酸を単独または併用して用いる場合が挙げられ、その中でリン酸、または酢酸とリン酸の併用系が特に好ましい。
反応媒質（溶媒）の好ましい例としては、有機酸、無機酸を用いることが好ましく、特にリン酸、酢酸、プロピオン酸、メタンスルホン酸が好ましく、その中でも酢酸及びまたはプロピオン酸が好ましい。
好ましいニトロソニウムイオン源の例としては、前記の好ましい酸含有含有反応媒質中で亜硝酸ナトリウムを用いることが挙げられる。
【０１４４】
一般式（７）のジアゾニウム塩に対する溶媒の使用量は、０．５〜５０質量倍が好ましく、より好ましくは１〜２０質量倍であり、特に３〜１５質量倍が好ましい。
本発明において、一般式（１）のヘテロ環アミンは溶媒に分散している状態であっても、ヘテロ環アミンの種類によっては溶解液の状態になっていてもどちらでも良い。
ニトロソニウムイオン源の使用量はヘテロ環アミンに対して０．９５〜５．０当量が好ましく、より好ましくは１．００〜３．００当量であり、特に１．００〜１．５０当量であることが好ましい。
反応温度は、−１５℃〜３０℃が好ましく、より好ましくは−１０℃〜１０℃であり、更に好ましくは−５℃〜５℃である。−１０℃未満では反応速度が顕著に遅くなり合成に要する時間が著しく長くなるため経済的でなく、また３０℃を超える高温で合成する場合には、副生成物の生成量が増加するため好ましくない。
反応時間は、３０分から３００分が好ましく、より好ましくは３０分から２００分であり、更に好ましくは３０分から１５０分である。
【０１４５】
本発明のアゾ化合物の合成方法においては、種結晶としての一般式（４）で表されるアゾ化合物の存在下カップリングを行う。この種結晶を用いることによって、得られるアゾ化合物の互変異性体や結晶多型を制御することができる。使用する種結晶は、一般式（４）で表される極限構造式を持っている結晶であることが好ましい。また、種結晶の使用量は、カップリング成分の使用量に対して、０．１〜２０％当量が好ましく、より好ましくは０．５〜１０％当量であり、特に１〜５％当量であることが好ましい。
種結晶は、一般式（３）で表されるカップリング成分を溶解させる前に加えても、溶解させた後に加えてもよいが、好ましくは溶解させた後に加えると良い。さらに好ましい形態は、一般式（３）で表されるカップリング成分が溶解した溶液に前記一般式（４）で表されるアゾ化合物を種結晶として加え、そこにジアゾニウム化合物を加えてカップリング反応を行う形態である。
カップリング反応（アゾ顔料化工程）は、酸性反応媒質中〜塩基性反応媒質中で実施することができるが、本発明のアゾ顔料は酸性〜中性反応媒質中で実施することが好ましく、特に酸性反応媒質中で実施することがジアゾニウム塩の分解を抑制し効率良くアゾ顔料に誘導することができる。
【０１４６】
反応媒質（溶媒）の好ましい例としては、有機酸、無機酸、有機溶媒を用いることができるが、特に有機溶媒が好ましく、反応時に液体分離現象を起こさず、溶媒と均一な溶液を呈する溶媒が好ましい。例えば、メタノール、エタノール、プロパノール、イソプロパノール、ブタノール、ｔ−ブチルアルコール、アミルアルコール等のアルコール性有機溶媒、アセトン、メチルエチルケトン等のケトン系有機溶媒、エチレングリコール、ジエチレングリコール、トリエチレングリコール、プロピレングリコール、ジプロピレングリコール、１，３−プロパンジオール等のジオール系有機溶媒、エチレングリコールモノメチルエーテル、エチレングリコールモノエチルエーテル、エチレングリコールジエチルエーテル等のエーテル系有機溶媒、テトラヒドロフラン、ジオキサン、アセトニトリル等が挙げられる、これらの溶媒は２種類以上の混合液であってもよい。
好ましくは、炭素数１〜４のアルコール溶液、炭素数１〜４のケトン溶液、またはアセトニトリル溶液である。またこれらの混合溶媒も好ましい。
溶媒の使用量は前記一般式（３）で表されるカップリング成分の１〜２００質量倍が好ましい。
本発明において、一般式（３）のカップリング成分は溶解液の状態になっていることが好ましい。
【０１４７】
カップリング成分の使用量は、アゾカップリング部位あたり、ジアゾニウム化合物が０．９５〜５．００当量が好ましく、より好ましくは１．００〜３．００当量であり、特に１．００〜１．５０当量であることが好ましい。
【０１４８】
反応温度は、−３０℃〜４０℃が好ましく、より好ましくは−１０℃〜３０℃であり、更に好ましくは−５℃〜２５℃である。−３０℃未満では反応速度が顕著に遅くなり合成に要する時間が著しく長くなるため経済的でなく、また４０℃を超える高温で合成する場合には、副生成物の生成量が増加するため好ましくない。
反応時間は、３０分から８時間が好ましく、より好ましくは１時間から６時間であり、更に好ましくは１時間から４時間である。
【０１４９】
本発明の製造方法において、前記一般式（１）で表されるヘテロ環アミンは、下記一般式（５）で表される化合物であることが好ましい。
一般式（５）：
【０１５０】
【化１８】
2009073992.tif 000020
【０１５１】
（一般式（５）中、Yは水素原子または置換基を表す。）
一般式（５）中、Ｙ及び置換基は前記一般式（５）で表されるＹ及び置換基と同義であり、好ましい例も同じである。
【０１５２】
また、本発明の製造方法において、前記一般式（４）で表される化合物が下記一般式（６）で表される化合物であることが好ましい。
一般式（６）：
【０１５３】
【化１９】
2009073992.tif 000021
【０１５４】
（一般式（６）中、Ｒ１、Ｒ２はそれぞれ独立に水素原子または置換基を表す。Ｈｅｔ−１、Ｈｅｔ−２はそれぞれ独立に、前記一般式（２）で表される芳香族ヘテロ環基群から選ばれる基を表す。＊は、一般式（６）中のアゾ基との結合部位を表す。）
一般式（６）中、Ｒ１、Ｒ２は前記一般式（６）で表されるＲ１、Ｒ２と同義であり、好ましい例も同じである。
【０１５５】
本発明のアゾ顔料の合成方法においては、これらの反応によって得られる生成物（粗アゾ顔料）は通常の有機合成反応の後処理方法に従って処理した後、精製してあるいは精製せずに供することができる。
すなわち、例えば、反応系から遊離したものを精製せずに、あるいは再結晶、造塩等にて精製する操作を単独、あるいは組み合わせて行ない、供することができる。
【０１５６】
また、反応終了後、反応溶媒を留去して、あるいは留去せずに水、又は氷にあけ、中和してあるいは中和せずに、遊離したものをあるいは有機溶媒／水溶液にて抽出したものを、精製せずにあるいは再結晶、晶析、造塩等にて精製する操作を単独に又は組み合わせて行なった後、供することもできる。
本発明の方法で製造された前記一般式（４）で表されるアゾ化合物は、顔料として好適に使用することができる。顔料として使用する場合、本発明の方法で製造されたアゾ化合物は粗アゾ顔料として得られるため、後処理を行うことがより望ましい。この後処理の方法としては、例えば、ソルベントソルトミリング、ソルトミリング、ドライミリング、ソルベントミリング、アシッドペースティング等の摩砕処理、溶媒加熱処理などによる顔料粒子制御工程、樹脂、界面活性剤および分散剤等による表面処理工程が挙げられる。
【０１５７】
本発明の方法で製造された前記一般式（４）で表されるアゾ顔料は後処理として溶媒加熱処理を行うことが好ましい。溶媒加熱処理に使用される溶媒としては、例えば、水、トルエン、キシレン等の芳香族炭化水素系溶媒、クロロベンゼン、ｏ−ジクロロベンゼン等のハロゲン化炭化水素系溶媒、イソプロパノール、イソブタノール等のアルコール系溶媒、Ｎ，Ｎ−ジメチルホルムアミド、Ｎ，Ｎ−ジメチルアセトアミド、Ｎ−メチル−２−ピロリドン等の極性非プロトン性有機溶媒、氷酢酸、ピリジン、またはこれらの混合物等が挙げられる。これらの後処理によって顔料の平均粒子径を０．０１μｍ〜１μｍに調整することが好ましい。
【０１５８】
〔着色剤組成物〕
本発明の着色剤組成物は、前記一般式（４）又は（６）で表されるアゾ顔料、その塩または水和物を少なくとも１種含む。本発明の着色剤組成物としては、例えば、印刷インキ、塗料、マスターバッチを含むプラスチック等のポリマー用着色剤、電子写真用のカラートナー、インクジェット用インキ、カラーフィルター用レジストインキ、化粧品用着色剤が挙げられる。本発明の着色剤組成物は、前記一般式（４）又は（６）で表されるアゾ顔料、その塩または水和物の他、必要に応じて、樹脂および／または液体媒質を含んでいても良い。樹脂は、前記の各種インキ、塗料、カラートナー等の各用途で従来から使用されている樹脂がいずれも使用でき、特に限定されない。液体媒質は水であっても有機溶剤であってもよく、従来から使用されているものがいずれも使用でき、特に限定されない。本発明の着色剤組成物は、前記一般式（４）又は（６）で表されるアゾ顔料、その塩または水和物が、前記樹脂および／または液体媒質に分散されていることが好ましい。分散には分散装置を使用することが好ましく、使用できる分散装置としては、例えば、ボールミル、サンドミル、ビーズミル、ロールミル、ジェットミル、ペイントシェイカー、アトライター、超音波分散機、ディスパー、加圧加熱ニーダー、一軸押出機、二軸押出機等が挙げられる。
【０１５９】
本発明のアゾ顔料の用途としては、画像、特にカラー画像を形成するための画像記録材料が挙げられ、具体的には、以下に詳述するインクジェット方式記録材料を始めとして、感熱記録材料、感圧記録材料、電子写真方式を用いる記録材料、転写式ハロゲン化銀感光材料、印刷インク、記録ペン等があり、好ましくはインクジェット方式記録材料、感熱記録材料、電子写真方式を用いる記録材料であり、更に好ましくはインクジェット方式記録材料である。
【０１６０】
また、ＣＣＤなどの固体撮像素子やＬＣＤ、ＰＤＰ等のディスプレーで用いられるカラー画像を記録・再現するためのカラーフィルター、各種繊維の染色の為の染色液にも適用できる。
【実施例】
【０１６１】
以下、本発明を実施例に基づきさらに詳細に説明するが、本発明はこれらの実施例に何ら限定されるものではない。なお、実施例中、「部」とは重量部を表す。
【０１６２】
［実施例１］
（Ｐｉｇ−１の製造）
２７．９部の５−アミノ−３−メチル−１，２，４−チアジアゾールを３２５部のリン酸に加えて５０℃に加熱し溶解させた。この溶液を氷冷して−３℃に保ち、亜硝酸ナトリウム２０．９部を加えて１．５時間攪拌し、ジアゾニウム塩溶液を得た。別に式（７）で表される化合物３０部をメタノール３０００部に加えて完溶させた溶液を用意し、この中に、種結晶として式（８）で表されるアゾ化合物を２．５部加えて懸濁させた。この懸濁液に上述のジアゾニウム塩溶液を２０℃で１時間かけて加えた。このまま４時間２０℃で反応させた後、生成した粉末を濾別した。この粉末を１５００部の水に加え、水酸化カリウム水溶液で余分の酸を中和した。再度濾過を行い、黄色粉末を得た。この黄色粉末をＮ，Ｎ−ジメチルアセトアミド３００部、水３００部の混合溶媒に加え、８５℃で４時間加熱熟成した。この熟成液を熱時濾過し、さらにメタノールで洗浄して式（８）で表されるアゾ化合物を３８．６部（収率７６．６％）得た。同様の操作を３回繰り返し行ったところ、いずれも同様の粉末Ｘ線回折スペクトルを示す化合物が得られた。
【０１６３】
【化２０】
2009073992.tif 000022
【０１６４】
［比較例１］
実施例１において、アゾ化合物（８）を種結晶として加えなかったこと以外は同様にしてアゾ化合物（８）を製造した。得られたアゾ化合物（８）の収率は７３．８％であった。同様の操作を３回繰り返し行ったところ、そのうちの１回は他の２回とは粉末Ｘ線回折スペクトルが異なる固体が得られ、再現性をとることができなかった。
【０１６５】
［比較例２］
２７．９部の５−アミノ−３−メチル−１，２，４−チアジアゾールを３２５部のリン酸に加えて５０℃に加熱し溶解させた。この溶液を氷冷して−３℃に保ち、亜硝酸ナトリウム２０．９部を加えて１．５時間攪拌し、ジアゾニウム塩溶液を得た。別に式（７）で表される化合物３０部をメタノール６００部に加えて完溶させた溶液を用意し、この中に上述のジアゾニウム塩溶液を４〜１０℃で２時間かけて加えた。このまま８時間１０℃で反応させた後、生成した粉末を濾別した。反応液の粘度は高く、濾別するのに一晩を要した。この粉末を１５００部の水に加え、水酸化カリウム水溶液で余分の酸を中和した。再度濾過を行い、黄色粉末を得た。この黄色粉末をＮ，Ｎ−ジメチルアセトアミド３００部、水３００部の混合溶媒に加え、８５℃で４時間加熱熟成した。この熟成液を熱時濾過し、さらにメタノールで洗浄してアゾ化合物（８）を２８．１部（収率５５．８％）得た。同様の操作を３回繰り返し行ったところ、いずれも同様の粉末Ｘ線回折スペクトルを示す化合物が得られた。
以上の実施例１および比較例１，２について、それぞれの製造方法の特徴を表にまとめると以下のようになった。
【０１６６】
【表１】
2009073992.tif 000023
【０１６７】
以上の結果から本発明の製造方法は、反応時間が短くて済み収率も高いので、製造に伴うエネルギーや廃棄物を削減でき、よって、小さい環境負荷で製造することができる。また、反応の再現性もよく、品質の整ったアゾ化合物を製造することができる。
【０１６８】
［実施例２］
実施例１において、５−アミノ−３−メチル−１，２，４−チアジアゾールの代わりに５−アミノ−１，２，４−チアジアゾールを用い、かつ、種結晶として前記Ｐｉｇ−１で表される化合物の代わりに前記Ｐｉｇ−２で表される化合物を用いたこと以外は同様にして、Ｐｉｇ−２で表される化合物を収率７２．３％で得た。
【０１６９】
［実施例３］
実施例１において、前記式（７）の代わりに式（９）を用い、かつ、種結晶として前記Ｐｉｇ−１で表される化合物の代わりに前記Ｐｉｇ−５で表される化合物を用いたこと以外は同様にして、Ｐｉｇ−５で表される化合物を収率６７．８％で得た。
式（９）：
【０１７０】
【化２１】
2009073992.tif 000024
【０１７１】
［実施例４］
実施例１において、前記式（７）の代わりに式（１０）を用い、かつ、種結晶として前記Ｐｉｇ−１で表される化合物の代わりに前記Ｐｉｇ−６で表される化合物を用いたこと以外は同様にして、Ｐｉｇ−６で表される化合物を収率５９．９％で得た。
式（１０）：
【０１７２】
【化２２】
2009073992.tif 000025
【０１７３】
［実施例５］
実施例４において、５−アミノ−３−メチル−１，２，４−チアジアゾールの代わりに１−フェニル−４−シアノ−５−アミノピラゾールを用い、かつ、種結晶として前記Ｐｉｇ−５で表される化合物の代わりに前記Ｐｉｇ−１１で表される化合物を用いたこと以外は同様にして、Ｐｉｇ−１１で表される化合物を収率７４．１％で得た。
【０１７４】
［実施例６］
実施例１において、５−アミノ−３−メチル−１，２，４−チアジアゾールの代わりに２−アミノ−５−メチル−１，３，４−チアジアゾールを用い、かつ、種結晶として前記Ｐｉｇ−１で表される化合物の代わりに前記Ｐｉｇ−１２で表される化合物を用いたこと以外は同様にして、Ｐｉｇ−１２で表される化合物を収率７２．３％で得た。
【０１７５】
［実施例７］
実施例１において、５−アミノ−３−メチル−１，２，４−チアジアゾールの代わりに５−アミノ−４−シアノ−３−メチル−イソチアゾールを用い、かつ、種結晶として前記Ｐｉｇ−１で表される化合物の代わりに前記Ｐｉｇ−１５で表される化合物を用いたこと以外は同様にして、Ｐｉｇ−１５で表される化合物を収率４９．６％で得た。
【図面の簡単な説明】
【０１７６】
【図１】実施例１の方法で得られたＰｉｇ−１の粉末Ｘ線回折スペクトルの図である。
【図２】実施例２の方法で得られたＰｉｇ−２の粉末Ｘ線回折スペクトルの図である。
【図３】実施例４の方法で得られたＰｉｇ−５の粉末Ｘ線回折スペクトルの図である。
【図４】実施例５の方法で得られたＰｉｇ−６の粉末Ｘ線回折スペクトルの図である。
【図５】実施例６の方法で得られたＰｉｇ−１１の粉末Ｘ線回折スペクトルの図である。
【図６】実施例７の方法で得られたＰｉｇ−１２の粉末Ｘ線回折スペクトルの図である。
【図７】実施例８の方法で得られたＰｉｇ−１５の粉末Ｘ線回折スペクトルの図である。
【図８】比較例１の方法で得られたＰｉｇ−１の粉末Ｘ線回折スペクトルの図である。
【図１】
2009073992.tif 000031
【図２】
2009073992.tif 000032
【図３】
2009073992.tif 000033
【図４】
2009073992.tif 000034
【図５】
2009073992.tif 000035
【図６】
2009073992.tif 000036
【図７】
2009073992.tif 000037
【図８】
2009073992.tif 000038